(57)【要約】【課題】像保持体の断面が周期的に変形するのを抑制することができる接触部材、像保持体、画像形成装置を得る。【解決手段】接触部材１１６において筒体１０８の内周面１０８Ａに接する接触部１３６は、外周面１１８の３方向に形成されている。像保持体５６と帯電ロール５８との間に生じる周期的な静電吸引力より、筒体１０８の断面が楕円形状に変形しようとする場合であっても、３方向の接触部１３６によって筒体１０８の断面が楕円形状に変形するのが抑制される。換言すれば、帯電ロールにより像保持体の表面が帯電される際に、筒体１０８の断面が周期的に変形するのが抑制される。【選択図】図１
2015084080.tif 000002
【特許請求の範囲】
【請求項１】
像保持体を構成する円筒状の筒体の内部に嵌め込まれて配置され、該筒体の周方向において３領域に形成された接触部で該筒体の内周面に接して該筒体に支持され、該筒体の内部に支持された状態で該筒体の軸方向から見て、夫々の接触部及び該筒体の軸中心を通る直線のうち２つの直線の成す角度が全て９０度より大きくされる接触部材。
【請求項２】
周方向において一部が離間した離間部が形成される円筒状とされ、
前記筒体の内部に配置された状態で前記軸方向から見て前記軸中心を挟んで前記離間部の反対側に前記軸方向に延びる溝部が形成され、
前記溝部は一の前記接触部に形成され、前記離間部の離間距離を狭めて撓んだ状態で前記筒体の内部に配置される請求項１に記載の接触部材。
【請求項３】
少なくとも一の前記接触部は、前記軸方向から見て、前記筒体の内周面の半径より小さい半径の円弧状とされている請求項１又は２に記載の接触部材。
【請求項４】
円筒状で表面に画像を保持する筒体と、
前記筒体の内部に配置される請求項１〜３の何れか１項に記載の接触部材と、
を備える像保持体。
【請求項５】
請求項４に記載の像保持体と、
前記像保持体の表面を帯電させる帯電装置と、
帯電した前記像保持体の表面を露光して静電潜像を形成する露光装置と、
前記像保持体の表面に形成される静電潜像をトナー画像として現像する現像装置と、
を備える画像形成装置。
【発明の詳細な説明】
【技術分野】
【０００１】
本発明は、接触部材、像保持体、及び画像形成装置に関する。
【背景技術】
【０００２】
特許文献１に記載の画像形成装置は、感光体ドラム（像保持体）の内壁面と接し、その内壁面を所定の力で押圧する摺接部材を備えている。そして、この摺接部材によって帯電音が低減されている。
【先行技術文献】
【特許文献】
【０００３】
【特許文献１】特開２０００−３１５０３６号公報
【発明の概要】
【発明が解決しようとする課題】
【０００４】
本発明の課題は、像保持体の断面が周期的に変形するのを抑制することである。
【課題を解決するための手段】
【０００５】
本発明の請求項１に係る接触部材は、像保持体を構成する円筒状の筒体の内部に嵌め込まれて配置され、該筒体の周方向において３領域に形成された接触部で該筒体の内周面に接して該筒体に支持され、該筒体の内部に支持された状態で該筒体の軸方向から見て、夫々の接触部及び該筒体の軸中心を通る直線のうち２つの直線の成す角度が全て９０度より大きくされることを特徴とする。
【０００６】
本発明の請求項２に係る接触部材は、請求項１に記載の接触部材において、周方向において一部が離間した離間部が形成される円筒状とされ、前記筒体の内部に配置された状態で前記軸方向から見て前記軸中心を挟んで前記離間部の反対側に前記軸方向に延びる溝部が形成され、前記溝部は一の前記接触部に形成され、前記離間部の離間距離を狭めて撓んだ状態で前記筒体の内部に配置されることを特徴とする。
【０００７】
本発明の請求項３に係る接触部材は、請求項１又は２に記載の接触部材において、少なくとも一の前記接触部は、前記軸方向から見て、前記筒体の内周面の半径より小さい半径の円弧状とされていることを特徴とする。
【０００８】
本発明の請求項４に係る像保持体は、円筒状で表面に画像を保持する筒体と、前記筒体の内部に配置される請求項１〜３の何れか１項に記載の接触部材と、を備えることを特徴とする。
【０００９】
本発明の請求項５に係る画像形成装置は、請求項４に記載の像保持体と、前記像保持体の表面を帯電させる帯電装置と、帯電した前記像保持体の表面を露光して静電潜像を形成する露光装置と、前記像保持体の表面に形成される静電潜像をトナー画像として現像する現像装置と、を備えることを特徴とする。
【発明の効果】
【００１０】
本発明の請求項１の接触部材によれば、本構成を有しない場合と比して、像保持体の断面が周期的に変形するのを抑制することができる。
【００１１】
本発明の請求項２の接触部材によれば、本構成を備えていない場合と比して、全ての接触部を像保持体の内周面にバランスよく接触させることができる。
【００１２】
本発明の請求項３の接触部材によれば、内周面に接する接触部が、筒体の内周面の半径（内半径）より小さい半径の円弧状とされていない場合と比して、接触部と内周面とが接する位置がばらつくのを抑制することができる。
【００１３】
本発明の請求項４の像保持体によれば、請求項１〜３の何れか１項に記載の接触部材を備えない場合と比して、像保持体の断面が周期的に変形するのを抑制することができる。
【００１４】
本発明の請求項５の画像形成装置によれば、請求項４に記載の像保持体を備えない場合と比して、像保持体の断面が周期的に変形することで発生する音を抑制することができる。
【図面の簡単な説明】
【００１５】
【図１】（Ａ）（Ｂ）（Ｃ）本発明の第１実施形態に係る接触部材を示した斜視図、及び断面図である。
【図２】本発明の第１実施形態に係る像保持体等を示した断面図である。
【図３】本発明の第１実施形態に係る画像形成装置に用いられる画像形成ユニットを示した概略構成図である。
【図４】本発明の第１実施形態に係る画像形成装置を示した概略構成図である。
【図５】（Ａ）（Ｂ）本発明の第１実施形態に係る像保持体に対する比較例に係る像保持体の変形状態を示した斜視図、及び断面図である。
【図６】（Ａ）（Ｂ）（Ｃ）本発明の第１実施形態に係る像保持体に対する比較例に係る像保持体の変形状態を示した斜視図、及び断面図である。
【図７】（Ａ）（Ｂ）本発明の第１実施形態に係る像保持体に対する比較例に係る像保持体を示した断面図である。
【図８】（Ａ）（Ｂ）（Ｃ）本発明の第２実施形態、第３実施形態、第４実施形態に係る接触部材を示した断面図である。
【図９】（Ａ）（Ｂ）本発明の第５実施形態に係る接触部材を示した断面図、及び拡大断面図である。
【図１０】本発明の第５実施形態に係る接触部材の評価結果を表で示した図面である。
【図１１】（Ａ）（Ｂ）（Ｃ）本発明の第５実施形態に係る接触部材に対する比較例に係る接触部材を示した断面図である。
【図１２】本発明の第６実施形態に係る接触部材を示した断面図である。
【図１３】本発明の第５、第６実施形態に係る接触部材の変形例を示した拡大断面図である。
【発明を実施するための形態】
【００１６】
≪第１実施形態≫
本発明の第１実施形態に係る接触部材、像保持体、画像形成装置の一例を図１〜図７に従って説明する。なお図中に示す矢印Ｈは装置上下方向（鉛直方向）を示し、矢印Ｗは装置幅方向（水平方向）を示し、矢印Ｄは装置奥行方向（水平方向）を示す。
【００１７】
（全体構成）
図４に示されるように、本実施形態に係る画像形成装置１０には、上下方向（矢印Ｈ方向）の下方から上方へ向けて、記録媒体としてのシート部材Ｐが収容される収容部１４と、収容部１４に収容されたシート部材Ｐを搬送する搬送部１６と、収容部１４から搬送部１６によって搬送されるシート部材Ｐに画像形成を行う画像形成部２０と、読取原稿Ｇを読み取る原稿読取部２２とが、この順で備えられている。さらに、画像形成装置１０は、シート部材Ｐを手差しで供給する手差給紙部９０を備えている。
【００１８】
〔収容部〕
収容部１４には、画像形成装置１０の装置本体１０Ａから装置奥行方向の手前側に引き出し可能な収容部材２６が備えられており、この収容部材２６にシート部材Ｐが積載されている。さらに、収容部１４には、積載されたシート部材Ｐを、搬送部１６を構成する搬送経路２８に送り出す送出ロール３２が備えられている。
【００１９】
〔搬送部〕
搬送部１６には、送出ロール３２に対してシート部材Ｐの搬送方向の下流側（以下単に「搬送方向下流側」と記載する）に配置され、シート部材Ｐを一枚ずつ分離して搬送する分離ロール３４が備えられている。
【００２０】
また、搬送経路２８において、分離ロール３４に対して搬送方向の下流側には、シート部材Ｐを一端停止させるとともに、決められたタイミングでシート部材Ｐを後述する転写位置Ｔへ送り出す位置合せロール３６が配置されている。
【００２１】
また、搬送経路２８の終端側には、画像形成部２０によって画像が形成されたシート部材Ｐを、画像形成部２０の上方に形成された排出部７４に排出させる排出ロール７６が配置されている。
【００２２】
一方、シート部材Ｐの両面に画像を形成させるために、シート部材Ｐの表裏を反転させる両面用搬送ユニット７８が装置本体１０Ａの側方に備えられている。この両面用搬送ユニット７８は、排出ロール７６を逆転させることで搬送されるシート部材Ｐが送り込まれる反転経路８２を備えている。さらに、反転経路８２に沿って複数の搬送ロール８４が配置され、これらの搬送ロール８４によって搬送されるシート部材Ｐは表裏が反転された状態で、位置合せロール３６に再度搬送されるようになっている。
【００２３】
〔手差給紙部〕
さらに、両面用搬送ユニット７８の隣なりには、折り畳み式の手差給紙部９０が備えられている。手差給紙部９０には、開閉可能な手差給紙部材９２が備えられている。また、開放された手差給紙部材９２から給紙されるシート部材Ｐを搬送する給紙ロール９４及び複数の搬送ロール９６が手差給紙部９０に備えられており、搬送ロール９６によって搬送されたシート部材Ｐは、位置合せロール３６に搬送されるようになっている。
【００２４】
〔原稿読取部〕
一方、画像形成装置１０の上側に設けられた原稿読取部２２には、読取原稿Ｇを搬送する自動原稿搬送装置４０によって搬送された読取原稿Ｇに、又はプラテンガラス４２に載せられた読取原稿Ｇに光を照射する光源４４が備えられている。
【００２５】
さらに、原稿読取部２２には、光源４４によって照射されて読取原稿Ｇから反射された反射光をプラテンガラス４２と平行な方向に反射させるフルレートミラー４６と、フルレートミラー４６によって反射した反射光を下方へ反射させるハーフレートミラー４８と、ハーフレートミラー４８によって反射した反射光をプラテンガラス４２と平行な方向に反射させて折り返すハーフレートミラー５０と、ハーフレートミラー５０によって折り返された反射光が入射される結像レンズ５２と、から構成される光学系が備えられている。
【００２６】
また、原稿読取部２２には、結像レンズ５２によって結像された反射光を電気信号に変換する光電変換素子５４が備えられ、さらに、光電変換素子５４によって変換された電気信号を画像処理する画像処理部２４が備えられている。
【００２７】
そして、光源４４、フルレートミラー４６、ハーフレートミラー４８及びハーフレートミラー５０は、プラテンガラス４２に沿って移動可能となっている。プラテンガラス４２に載せられた読取原稿Ｇを読み取る場合には、光源４４、フルレートミラー４６、ハーフレートミラー４８及びハーフレートミラー５０を移動させながら、光源４４がプラテンガラス４２に載せられた読取原稿Ｇに光を照射し、読取原稿Ｇから反射された反射光が光電変換素子５４へ結像するようになっている。
【００２８】
また、自動原稿搬送装置４０によって搬送された読取原稿Ｇを読み取る場合には、光源４４、フルレートミラー４６、ハーフレートミラー４８及びハーフレートミラー５０を停止させ、自動原稿搬送装置４０によって搬送された読取原稿Ｇに光源４４が光を照射し、読取原稿Ｇから反射された反射光が光電変換素子５４へ結像するようになっている。
【００２９】
〔画像形成部〕
図３に示されるように、画像形成部２０は、像保持体５６と、像保持体５６の表面を帯電させる帯電ロール５８と、画像データに基づいて帯電した像保持体５６の表面に露光光を照射して静電潜像を形成させる露光装置６０（図４参照）と、この静電潜像を現像してトナー画像として可視化する現像装置６２とを備えている。
【００３０】
さらに、画像形成部２０は、搬送経路２８に沿って搬送されるシート部材Ｐに像保持体５６の表面に形成されたトナー画像を転写する転写ロール６４と、加熱ロール６６Ｈと加圧ロール６６Ｎとから構成され、シート部材Ｐ上のトナー画像を加熱・加圧してシート部材Ｐに定着させる定着装置６６（図４参照）と、トナー画像が転写された後の像保持体５６に残留するトナーを像保持体５６から掻き落として像保持体５６を清掃するクリーニングブレード６８と、を備えている。
【００３１】
また、図４に示されるように、露光装置６０の斜め上方には、現像装置６２と図示せぬ供給管で接続されたトナーカートリッジ７２が配置されている。このトナーカートリッジ７２には、供給管を介して現像装置６２へ供給されるトナーが充填されている。
【００３２】
この構成において、位置合せロール３６から送り出されたシート部材Ｐは、像保持体５６と転写ロール６４とで構成される転写位置Ｔへ搬送され、像保持体５６と転写ロール６４との間を挟持搬送される。これにより、像保持体５６に形成されたトナー画像がシート部材Ｐに転写されるようになっている。
【００３３】
ここで、像保持体５６、帯電ロール５８、現像装置６２及びクリーニングブレード６８は、画像形成ユニット７０を構成しており、この画像形成ユニット７０は、装置本体１０Ａに対して着脱可能とされている。
【００３４】
なお、像保持体５６、帯電ロール５８等については、詳細を後述する。
【００３５】
（全体構成の作用）
画像形成装置１０では、次のようにして画像が形成される。
【００３６】
先ず、電圧が印加された帯電ロール５８は、像保持体５６の表面を予定の電位で一様にマイナス帯電する。続いて、原稿読取部２２によって読み取られた画像データ又は外部から入力されたデータに基づいて露光装置６０が帯電された像保持体５６の表面に露光光を照射して静電潜像を形成させる。
【００３７】
これにより、画像データに対応した静電潜像が像保持体５６の表面に形成される。さらに、この静電潜像は、現像装置６２によって現像され、トナー画像として可視化される。
【００３８】
そこで、収容部材２６から送出ロール３２によって搬送経路２８へ送り出され、又は手差給紙部材９２から給紙ロール９４によって搬送経路２８へ給紙されたシート部材Ｐが、位置合せロール３６によって決められたタイミングで転写位置Ｔへ送り出される。転写位置Ｔでは、シート部材Ｐが像保持体５６と転写ロール６４とに挟持搬送されることで、像保持体５６の表面に形成されたトナー画像がシート部材Ｐの表面に転写される。
【００３９】
シート部材Ｐに転写されたトナー画像は、シート部材Ｐが定着装置６６に備えられた加熱ロール６６Ｈと加圧ロール６６Ｎとの間を通過することでシート部材Ｐに定着される。そして、表面にトナー画像が定着されたシート部材Ｐは、排出ロール７６によって排出部７４へ排出される。
【００４０】
一方、シート部材Ｐの裏面にも画像を形成させる場合には、シート部材Ｐを排出部７４へ排出させずに排出ロール７６を逆転させて、表面にトナー画像が形成されたシート部材Ｐを反転経路８２へ送り出す。これにより、シート部材Ｐの表裏を反転させ、搬送ロール８４がシート部材Ｐを再度位置合せロール３６へ搬送する。
【００４１】
今度は、転写位置Ｔでシート部材Ｐの裏面にトナー画像が転写され、裏面にトナー画像が転写されたシート部材Ｐは、前述した手順で排出部７４へ排出される。
【００４２】
（要部構成）
次に、像保持体５６、帯電ロール５８等について説明する。
【００４３】
〔帯電ロール〕
帯電ロール５８は、図２に示されるように、装置奥行方向に延び、金属材料（例えば、ステンレス）で成形された軸部５８Ａと、内部に軸部５８Ａが挿入される円筒状で、ゴム材料で成形されたロール部５８Ｂと、を備えている。
【００４４】
さらに、軸部５８Ａの両端側は、ロール部５８Ｂから外部に露出しており、一対の軸受部材１０２に回転可能に支持されている。また、夫々の軸受部材１０２を像保持体５６側に向けて付勢する付勢部材１０４が、軸部５８Ａを挟んで像保持体５６の反対側に配置されている。この構成より、帯電ロール５８のロール部５８Ｂが像保持体５６に押し付けられ、像保持体５６が回転すると、帯電ロール５８が従動して回転するようになっている。
【００４５】
また、軸部５８Ａには、図示せぬ電源から直流電圧に交流電圧を重畳した重畳電圧が印加されるようになっている。
【００４６】
〔像保持体〕
像保持体５６は、図２に示されるように、装置奥行方向に延びる円筒状の筒体１０８と、筒体１０８において装置奥行方向（本実施形態では筒体１０８の軸方向と同様の方向）の一端側（図中上側）に固定される伝達部材１１０と、筒体１０８において装置奥行方向の他端側（図中下側）に固定される支持部材１１２と、を備えている。さらに、像保持体５６は、筒体１０８の内部に配置され、筒体１０８の断面が変形するのを抑制する接触部材１１６を備えている。
【００４７】
筒体１０８は、金属材料（例えば、アルミニウム）を円筒状に成形した基材の外表面に感光層を形成したものである。
【００４８】
伝達部材１１０は、樹脂材料で円盤形状に成形され、筒体１０８の内部に一部が嵌め込まれることで筒体１０８の一端側に固定され、開放された筒体１０８の一端側を閉止している。さらに、伝達部材１１０には、筒体１０８の軸中心Ｆ上に円柱状の貫通孔１１０Ａが形成されている。また、伝達部材１１０において装置奥行方向の外側を向いた外表面には、貫通孔１１０Ａを挟むように複数（図２では２個）の凹部１１０Ｂが形成されている。
【００４９】
支持部材１１２は、樹脂材料で円盤形状に成形され、筒体１０８の内部に一部が嵌め込まれることで筒体１０８の他端側に固定され、開放された筒体１０８の他端側を閉止している。さらに、支持部材１１２には、筒体１０８の軸中心Ｆ上に円柱状の貫通孔１１２Ａが形成されている。
【００５０】
接触部材１１６は、図２に示されるように、筒体１０８の内部に嵌め込まれて筒体１０８の装置奥行方向の中央側に配置され、図１（Ｃ）に示されるように、筒体１０８の内周面１０８Ａに接して筒体１０８に支持されている。
【００５１】
具体的には、接触部材１１６は、樹脂材料（例えば、ＡＢＳ樹脂（Ａｃｒｙｌｏｎｉｔｒｉｌｅ、Ｂｕｔａｄｉｅｎｅ、Ｓｔｙｒｅｎｅ））で成形され、図１（Ａ）（Ｂ）に示されるように、周方向において一部が離間した離間部１１６Ａが形成されると共に装置奥行方向に延びる円筒状（Ｃ字状）とされている。さらに、図１（Ｃ）に示されるように、接触部材１１６が筒体１０８の内部に配置された状態で、筒体１０８の軸中心Ｆを挟んで離間部１１６Ａの反対側における接触部材１１６の外周面１１８には、装置奥行方向に延びる溝部１１６Ｂが形成されている。
【００５２】
また、接触部材１１６の外周面１１８には、図１（Ｃ）に示されるように、筒体１０８の内周面１０８Ａに接する接触部１３６が、装置奥行方向に延びて径方向に突出して形成されている。そして、この接触部１３６は、外周面１１８の３領域（３箇所）に形成されている。より具体的には、装置奥行方向から見て溝部１１６Ｂの両側に配置される一対の突起１３８から構成される接触部１３６Ａと、接触部１３６Ａに対して一方側（図中反時計回り側）に配置される突起１４０から構成される接触部１３６Ｂと、接触部１３６Ａに対して他方側（図中時計回り側）に配置される突起１４２から構成される接触部１３６Ｃと、が外周面１１８に形成されている。つまり、溝部１１６Ｂは、接触部１３６Ａに形成されている。
【００５３】
そして、図１（Ｃ）に示されるように、接触部材１１６が筒体１０８の内部に配置（支持）された状態では、夫々の接触部１３６の周方向中央部及び筒体１０８（像保持体５６）の軸中心Ｆを通る直線のうち２つの直線の成す角度が全て１２０度（図１（Ｃ）に示す角度Ｎ）とされている。
【００５４】
さらに、図１（Ｂ）（Ｃ）に示されるように、接触部材１１６が筒体１０８の内部に配置されていない状態での離間部１１６Ａにおける離間距離（図中距離Ｋ）は、接触部材１１６が筒体１０８の内部に配置された場合と比して、長くなっている。
【００５５】
この構成において、接触部材１１６を筒体１０８の内部に配置する際には、接触部材１１６を把持して離間部１１６Ａの離間距離が短くなるように溝部１１６Ｂを変形させて接触部材１１６を撓ませる。この状態で、接触部材１１６を筒体１０８の内部に挿入し、把持力を解放する。これにより、接触部材１１６の接触部１３６Ａ、１３６Ｂ、及び１３６Ｃが筒体１０８の内周面１０８Ａに接し、接触部材１１６が筒体１０８に支持されて筒体１０８の内部に配置される。
【００５６】
つまり、接触部材１１６は、撓んだ状態で筒体１０８の内部に配置されている。
【００５７】
〔その他〕
像保持体５６の装置奥行方向の一端側には、図２に示されるように、像保持体５６（伝達部材１１０）に伝達される回転力を発生する駆動源の一例としてのモータ１２２が配置されている。
【００５８】
モータ１２２の本体１２２Ａは、装置本体１０Ａ（図４参照）内に配置された板状のフレーム１２４に取り付けられている。さらに、モータ１２２のモータ軸部１２２Ｂは、筒体１０８の軸中心Ｆ上に延び、画像形成ユニット７０（図３参照）のハウジング１２６に形成された貫通孔１２６Ａを通って伝達部材１１０の貫通孔１１０Ａに挿入されている。また、モータ軸部１２２Ｂの外周面には、先端部１２８Ａが屈曲して伝達部材１１０の凹部１１０Ｂに挿入される板状のブラケット１２８が固定されている。これにより、伝達部材１１０は、モータ軸部１２２Ｂに対して一体的に（ガタ無く）組み付けられている。そして、伝達部材１１０は、モータ１２２が発生する回転力を筒体１０８に伝達するようになっている。
【００５９】
一方、像保持体５６の装置奥行方向の他端側には、像保持体５６（支持部材１１２）を回転可能に支持する円柱状の軸部１３０Ｃを有する軸部材１３０が配置されている。
【００６０】
軸部材１３０は、樹脂材料（例えば、ＡＢＳ）で成形され、ハウジング１２６の内側面１２６Ｂに取り付けられる台座部１３０Ａと、台座部１３０Ａから段差を介して像保持体５６側に配置される段差部１３０Ｂと、を有している。さらに、軸部材１３０は、段差部１３０Ｂから  筒体１０８の軸中心Ｆ上に延びて支持部材１１２の貫通孔１１２Ａに挿入される前述した軸部１３０Ｃを有している。
【００６１】
軸部１３０Ｃに対して支持部材１１２は、所謂滑り軸受として機能しており、貫通孔１１２Ａの内周面と軸部１３０Ｃの外周面との間には空隙が設けられている。
【００６２】
この構成において、モータ１２２を稼働させると、モータ軸部１２２Ｂが回転する。モータ軸部１２２Ｂの回転は、ブラケット１２８及び筒体１０８の一端側に固定された伝達部材１１０を介して筒体１０８に伝達される。そして、筒体１０８の他端側に固定された支持部材１１２が、軸部１３０Ｃに対して回転することで、像保持体５６が軸中心Ｆ周りに回転するようになっている。
【００６３】
（要部構成の作用）
次に、像保持体５６、帯電ロール５８等の作用について説明する。
【００６４】
モータ１２２を稼働させると像保持体５６が回転する。像保持体５６が回転すると、帯電ロール５８が従動して回転する。像保持体５６の図示せぬ感光層を帯電させるため、帯電ロール５８の軸部５８Ａには、電源から直流電圧に交流電圧を重畳した重畳電圧が印加される。
【００６５】
重畳電圧を構成する交流電圧（１ｋＨｚ〜３ｋＨｚ）により、帯電ロール５８と像保持体５６との間には交番電界が発生する。これにより、像保持体５６と帯電ロール５８との間には、周期的（２ｋＨｚ〜６ｋＨｚ）な静電吸引力が生じる。
【００６６】
ここで、本実施形態の像保持体５６に対して第１比較例としての像保持体２００について図５、図６を用いて、また、本実施形態の像保持体５６に対して第２比較例としての像保持体２０４について図７を用いて説明する。
【００６７】
先ず、像保持体２００について説明する。像保持体２００については、接触部材１１６を備えていない以外は、像保持体５６と同様の構成とされている。
【００６８】
図５（Ａ）（Ｂ）には、像保持体２００と帯電ロール５８との間で周期的な静電吸引力が生じた場合の像保持体２００の筒体１０８における変形状態の一例が誇張して示されている。筒体１０８の装置奥行方向の両側には、伝達部材１１０又は支持部材１１２が固定されているため（図２参照）、筒体１０８の装置奥行方向の両端部における筒体１０８の断面の変形は抑制される。これに対して、筒体１０８の装置奥行方向の中央側では、図５（Ｂ）に示されるように、筒体１０８の断面が周期的に楕円形状に変形する。
【００６９】
同様に、図６（Ａ）（Ｂ）（Ｃ）には、像保持体２００と帯電ロール５８との間で周期的な静電吸引力が生じた場合の像保持体２００の筒体１０８の変形状態の他の一例が誇張して示されている。前述したように、筒体１０８の装置奥行方向の両端部における筒体１０８の断面の変形は抑制される。これに対して、筒体１０８の装置奥行方向の中央部と筒体１０８の一端部との間では、前述した周期的な静電吸引力により、図６（Ｂ）に示されるように、筒体１０８の断面が周期的に縦長の楕円形状に変形し、筒体１０８の装置奥行方向の中央部と筒体１０８の他端部との間では、図６（Ｃ）に示されるように、筒体１０８の断面が周期的に横長の楕円形状に変形する。
【００７０】
次に、像保持体２０４について説明する。像保持体２０４については、接触部材２０６の形状が接触部材１１６に対して異なる以外は、像保持体５６と同様の構成とされている。
【００７１】
また、この接触部材２０６については、接触部材１１６に対して接触部１３６が形成される領域が３領域ではなく４領域である点以外は、接触部材１１６と同様の構成とされている。具体的には、接触部材２０６における夫々の接触部１３６は、図７（Ａ）（Ｂ）に示されるように、１個の突起２０８から構成されている。そして、接触部材２０６が筒体１０８の内部に配置された状態では、夫々の接触部１３６及び筒体１０８（像保持体２０４）の軸中心Ｆを通る直線のうち隣り合う２つの直線の成す角度が全て９０度（図７（Ｂ）に示す角度Ｍ）とされている。
【００７２】
このため、像保持体２０４では、図７（Ａ）（Ｂ）に示されるように、筒体１０８の断面が周期的に縦長の楕円形状に変形した場合、及び横長の楕円形状に変形した場合に、筒体１０８の断面変形が抑制されない。
【００７３】
しかし、本実施形態に係る像保持体５６では、比較例に係る像保持体２００、２０４と異なり、像保持体５６には接触部材１１６が備えられ、図１（Ｃ）に示されるように、接触部材１１６の接触部１３６は、外周面１１８の３領域に形成されている。さらに、接触部材１１６が筒体１０８の内部に配置された状態では、夫々の接触部１３６及び筒体１０８（像保持体５６）の軸中心Ｆを通る直線のうち２つの直線の成す角度が全て１２０度（図１（Ｃ）に示す角度Ｎ）とされている。
【００７４】
このため、筒体１０８の断面が楕円形状に変形しようとする場合であっても、３領域の接触部１３６によって筒体１０８（像保持体５６）の断面が楕円形状に変形するのが抑制される。換言すれば、帯電ロール５８により像保持体５６の表面が帯電される際に、筒体１０８の断面が周期的に変形するのが抑制される。
【００７５】
また、筒体１０８の断面が周期的に変形するのが抑制されることで、筒体１０８の断面が周期的に変形することにより発生する音が抑制される。
【００７６】
また、接触部１３６は外周面１１８の３領域に形成されているため、突起１３８、１４０、１４２の高さに製造ばらつきが生じた場合であっても３領域の接触部１３６が筒体１０８の内周面１０８Ａに接する。
【００７７】
また、離間部１１６Ａ及び溝部１１６Ｂは接触部１３６Ａに形成され、さらに、溝部１１６Ｂが変形して接触部材１１６が撓んだ状態で接触部材１１６が筒体１０８の内部に配置される。つまり、溝部１１６Ｂに対して一方の側に接触部１３６Ｂが形成され、溝部１１６Ｂに対して他方の側に接触部１３６Ｃが形成された接触部材１１６が、撓んだ状態で接触部材１１６が筒体１０８の内部に配置される。これにより、溝部１１６Ｂに対して一方の側に接触部が２領域に形成される場合と比して、３領域の接触部１３６が筒体１０８の内周面１０８Ａにバランスよく接する。
【００７８】
≪第２実施形態≫
次に、本発明の第２実施形態に係る接触部材、像保持体、画像形成装置の一例を図８（Ａ）に従って説明する。なお、第１実施形態と同一部材等については、同一符号を付してその説明を省略し、第１実施形態と異なる部分を主に説明する。
【００７９】
第２実施形態の接触部材１７０の溝部１７０Ｂは、筒体１０８の軸中心Ｆを挟んで離間部１１６Ａの反対側における接触部材１７０の内周面１７２に形成されている。そして、装置奥行方向から見て溝部１７０Ｂの反対側に配置される１個の突起１７４から接触部１３６Ｄが構成されている。作用については、第１実施形態と同様である。
【００８０】
≪第３実施形態≫
次に、本発明の第３実施形態に係る接触部材、像保持体、画像形成装置の一例を図８（Ｂ）に従って説明する。なお、第２実施形態と同一部材等については、同一符号を付してその説明を省略し、第２実施形態と異なる部分を主に説明する。
【００８１】
第３実施形態の接触部材１８０の溝部１８０Ｂは、接触部材１８０の内周面１８２の２領域に形成されている。具体的には、突起１４０と突起１７４との間における内周面１８２と、突起１４２と突起１７４との間における内周面１８２とに溝部１８０Ｂが形成されている。作用については、第２実施形態と同様である。
【００８２】
≪第４実施形態≫
次に、本発明の第４実施形態に係る接触部材、像保持体、画像形成装置の一例を図８（Ｃ）に従って説明する。なお、第２実施形態と同一部材等については、同一符号を付してその説明を省略し、第２実施形態と異なる部分を主に説明する。
【００８３】
第４実施形態の接触部材１９０は、円筒状とされておらず三角筒状とされている。作用については、第２実施形態と同様である。
【００８４】
≪第５実施形態≫
次に、本発明の第５実施形態に係る接触部材、像保持体、画像形成装置の一例を図９〜図１１に従って説明する。なお、第１実施形態と同一部材等については、同一符号を付してその説明を省略し、第１実施形態と異なる部分を主に説明する。
【００８５】
（構成）
第５実施形態の接触部材２２０には、図９（Ａ）（Ｂ）に示されるように、周方向において一部が離間した離間部２２０Ａが形成されている。また、接触部材２２０が筒体１０８の内部に配置された状態で、筒体１０８の軸中心Ｆを挟んで離間部２２０Ａの反対側における接触部材２２０の外周面２２２には、装置奥行方向（軸方向）に延びる溝部２２０Ｂが形成されている。
【００８６】
さらに、接触部材２２０の外周面２２２には、装置奥行方向から見て溝部２２０Ｂの両側に配置される一対の突起２３８から構成され、筒体１０８の内周面１０８Ａと接する接触部２３６Ａが形成されている。また、外周面２２２には、接触部２３６Ａに対して一方側（図中反時計回り側）に配置される突起２４０から構成される接触部２３６Ｂと、接触部２３６Ａに対して他方側（図中時計回り側）に配置される突起２４２から構成される接触部２３６Ｃと、が形成されている。
【００８７】
接触部２３６Ｂ、２３６Ｃは、装置奥行方向から見て、筒体１０８の内周面１０８Ａの半径（内半径）より小さい半径の円弧状とされている。本実施形態では、一例として、筒体１０８の内周面１０８Ａの半径（図中半径Ｒ１）は、１４．２５〔ｍｍ〕とされ、接触部２３６の半径（図中半径Ｒ２）は、１０〔ｍｍ〕とされている。
【００８８】
（評価）
次に、本実施形態に係る接触部材２２０を筒体１０８の内部に配置し、雰囲気温度を低温（１０℃）、室温（２０℃）、高温（５０℃）にした場合の接触部２３６と筒体１０８の内周面１０８Ａとの接する位置について評価した評価結果について説明する。なお、評価については、有限要素法のシミュレーションを用いて行った。
【００８９】
さらに、評価を行う際に、筒体１０８の材質はアルミニウムとされ、接触部材２２０の材質はＡＢＳ樹脂とされた。また、前述したように、筒体１０８の内周面１０８Ａの半径は１４．２５〔ｍｍ〕とされ、接触部２３６の半径は１０〔ｍｍ〕とされた。
【００９０】
図１０に示すグラフの縦軸は、図９（Ａ）に示す角度Ｒ（角度Ｌ）を示し、横軸は、接触部材２２０が内部に配置された筒体１０８の周辺の雰囲気温度である。なお、角度Ｒ（角度Ｌ）は、図９（Ａ）に示されるように、軸中心Ｆから溝部２２０Ｂの中心を通る線分Ｙと、軸中心Ｆから接触部２３６Ｂ（接触部２３６Ｃ）と内周面１０８Ａとが接する位置を通る線分Ｘ（線分Ｐ）と、の成す角度である。
【００９１】
室温の状態では、角度Ｒ（角度Ｌ）は、１２０度とされている。雰囲気温度を上昇又は下降させると、筒体１０８の線膨張係数と接触部材２２０の線膨張係数との違いにより、筒体１０８の形状と接触部材２２０の形状とが相対的に変化する。これにより、接触部２３６Ｂ（接触部２３６Ｃ）と内周面１０８Ａとの接する位置が変化する。しかし、接触部２３６Ｂ、２３６Ｃの形状は円弧状とされているため、図１０のグラフで示されるように、雰囲気温度が低温又は高温になっても、後述する比較例に比して、角度Ｒ（角度Ｌ）の変化が小さい。
【００９２】
比較例では、室温では、図１１（Ａ）に示されるように、接触部と内周面１０８Ａとが面接触している。しかし、図１１（Ｂ）（Ｃ）に示されるように、低温又は高温では、筒体１０８と接触部材との形状の相対的な変化により、接する位置が移動してしまう。
【００９３】
（作用・まとめ）
接触部２３６Ｂ、２３６Ｃの形状は、装置奥行方向から見て、円弧状とされている。このため、接触部と内周面１０８Ａとが面接触している場合と比して、雰囲気温度の変化により、接触部２３６と内周面１０８Ａとの接する位置がばらつくのが抑制される。
【００９４】
また、接触部２３６Ｂ、２３６Ｃの形状は、装置奥行方向から見て、円弧状とされている。このため、雰囲気温度の変化による作用と同様に、筒体１０８の単品形状又は接触部材２２０の単品形状が設計値に対してばらつくことによって、接触部２３６と内周面１０８Ａとの接する位置がばらつくのが抑制される。
【００９５】
また、接触部２３６と内周面１０８Ａとの接する位置のばらつきが抑制されることで、像保持体５６の固有振動数がばらつくのが抑制される。
【００９６】
また、像保持体５６においては、固有振動数がばらつくのが抑制されることで、帯電ムラが抑制される。
【００９７】
≪第６実施形態≫
次に、本発明の第６実施形態に係る接触部材、像保持体、画像形成装置の一例を図１２に従って説明する。なお、第５実施形態と同一部材等については、同一符号を付してその説明を省略し、第５実施形態と異なる部分を主に説明する。
【００９８】
図１２に示されるように、第６実施形態に係る接触部材２５０の離間部２５０Ａは、第５実施形態と異なり、突起２３８を横切るように配置され、第６実施形態に係る接触部材２５０の溝部２５０Ｂは、第５実施形態と異なり、軸中心Ｆに対して、溝部２５０Ｂの反対側に配置されている。
【００９９】
このため、溝部２５０Ｂを変形させて接触部材２５０を図中矢印Ｓ方向に撓ませて、接触部材２５０を筒体１０８の内部に配置する場合に、接触部２３６Ｂ（２３６Ｃ）が、図中矢印Ｔ方向に内周面１０８Ａを押圧する。このため、接触部２３６Ｂ（２３６Ｃ）と内周面１０８Ａとの接する位置における接触部２３６Ｂ（２３６Ｃ）の接線方向に内周面１０８Ａを押圧する場合と比して、接触部２３６Ｂ（２３６Ｃ）が内周面１０８Ａを押圧する押圧力が効果的に筒体１０８に伝達される。
【０１００】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、接触部材１１６、１７０、１８０、１９０が筒体１０８の内部に配置された状態では、夫々の接触部１３６及び筒体１０８（像保持体５６）の軸中心Ｆを通る直線のうち２つの直線の成す角度が全て１２０度とされたが、１２０度でなくてもよく、２つの直線の成す角度が全て９０度より大きくされていればよい。
【０１０１】
また、上記実施形態では、特に説明しなかったが、接触部に複数の突起が形成される場合には、隣り合う接触部に形成される突起において、夫々の突起及び筒体１０８の軸中心Ｆを通る直線のうち２つの直線の成す角度（図１（Ｃ）に示す角度Ｊ）が全て９０度以上であればよい。
【０１０２】
また、上記実施形態では、特に説明しなかったが、接触部材１１６、１７０、１８０、１９０に形成される溝部１１６Ｂ、１７０Ｂ、１８０Ｂの形状は、矩形状であってもＶ字状であってもＵ字状等であってもよい。
【０１０３】
また、上記実施形態では、突起が装置奥行方向に亘って接触部材に形成されたが、一部が離間していてもよい。
【０１０４】
また、上記実施形態では、接触部材１１６、１７０、１８０、１９０に溝部１１６Ｂ、１７０Ｂ、１８０Ｂが形成されたが、特に形成されなくてもよい。
【０１０５】
また、上記実施形態では、接触部が装置奥行方向に延びて形成されたが、接触部材の外周面に螺旋状に形成されてもよい。
【０１０６】
また、上記実施形態では、接触部材は、ＡＢＳ樹脂により成形されたが、他の材料（樹脂材、金属材）等で成形されてもよい。
【０１０７】
また、上記第５、第６実施形態では、接触部２３６Ｂ，２３６Ｃが円弧状とされたが、少なくとも一の接触部２３６が円弧状とされればよい。
【０１０８】
また、上記第５、第６実施形態では、接触部２３６Ｂ，２３６Ｃが円弧状とされたが、溝部、又は離間部をずらすことで、全ての接触部２３６を円弧状としてもよい。
【０１０９】
また、上記第５、第６実施形態では、突起２４０、２４２の全体が円弧状とされることで、夫々の接触部２３６Ｂ，２３６Ｃが円弧状とされたが、筒体１０８の内周面１０８Ａと接触する部位が円弧状であればよく、図１３（Ａ）（Ｂ）に示されるように、筒体１０８の内周面１０８Ａと接触する部位以外の形状は、円弧状とされなくてもよい。
【符号の説明】
【０１１０】
１０             画像形成装置
５６             像保持体
５８             帯電ロール（帯電装置の一例）
６０             露光装置
１０８           筒体
１０８Ａ         内周面
１１６           接触部材
１１６Ａ         離間部
１１６Ｂ         溝部
１３６           接触部
１７０           接触部材
１７０Ｂ         溝部
１８０           接触部材
１８０Ｂ         溝部
１９０           接触部材
２２０           接触部材
２２０Ａ         離間部
２２０Ｂ         溝部
２３６           接触部
２５０           接触部材
２５０Ａ         離間部
２５０Ｂ         溝部
【図１】
2015084080.tif 000003
【図２】
2015084080.tif 000004
【図３】
2015084080.tif 000005
【図４】
2015084080.tif 000006
【図５】
2015084080.tif 000007
【図６】
2015084080.tif 000008
【図７】
2015084080.tif 000009
【図８】
2015084080.tif 000010
【図９】
2015084080.tif 000011
【図１０】
2015084080.tif 000012
【図１１】
2015084080.tif 000013
【図１２】
2015084080.tif 000014
【図１３】
2015084080.tif 000015
【手続補正書】
【提出日】平成26年10月15日(2014.10.15)
【手続補正１】
【補正対象書類名】明細書
【補正対象項目名】０００５
【補正方法】変更
【補正の内容】
【０００５】
本発明の請求項１に係る接触部材は、像保持体を構成する円筒状の筒体の内部に嵌め込まれて配置され、該筒体の周方向において３領域に形成された突起から構成される接触部で該筒体の内周面に接して該筒体に支持され、該筒体の内部に支持された状態で該筒体の軸方向から見て、夫々の接触部及び該筒体の軸中心を通る直線のうち２つの直線の成す角度が全て９０度より大きくされている中空であることを特徴とする。
【手続補正２】
【補正対象書類名】特許請求の範囲
【補正対象項目名】全文
【補正方法】変更
【補正の内容】
【特許請求の範囲】
【請求項１】
像保持体を構成する円筒状の筒体の内部に嵌め込まれて配置され、該筒体の周方向において３領域に形成された突起から構成される接触部で該筒体の内周面に接して該筒体に支持され、該筒体の内部に支持された状態で該筒体の軸方向から見て、夫々の接触部及び該筒体の軸中心を通る直線のうち２つの直線の成す角度が全て９０度より大きくされる中空の接触部材。
【請求項２】
周方向において一部が離間した離間部が形成される円筒状とされ、
前記筒体の内部に配置された状態で前記軸方向から見て前記軸中心を挟んで前記離間部の反対側に前記軸方向に延びる溝部が形成され、
前記溝部は一の前記接触部に形成され、前記離間部の離間距離を狭めて撓んだ状態で前記筒体の内部に配置される請求項１に記載の接触部材。
【請求項３】
少なくとも一の前記接触部は、前記軸方向から見て、前記筒体の内周面の半径より小さい半径の円弧状とされている請求項１又は２に記載の接触部材。
【請求項４】
円筒状で表面に画像を保持する筒体と、
前記筒体の内部に配置される請求項１〜３の何れか１項に記載の接触部材と、
を備える像保持体。
【請求項５】
請求項４に記載の像保持体と、
前記像保持体の表面を帯電させる帯電装置と、
帯電した前記像保持体の表面を露光して静電潜像を形成する露光装置と、
前記像保持体の表面に形成される静電潜像をトナー画像として現像する現像装置と、
を備える画像形成装置。
【手続補正書】
【提出日】平成27年2月12日(2015.2.12)
【手続補正１】
【補正対象書類名】明細書
【補正対象項目名】０００５
【補正方法】変更
【補正の内容】
【０００５】
本発明の請求項１に係る接触部材は、像保持体を構成する円筒状の筒体の内部に嵌め込まれて配置される接触部材であって、円筒の周方向における一部に軸方向と平行に形成された離間部を有し、前記離間部の離間距離を狭めて撓んだ状態で前記筒体の内部に配置され、前記円筒の周方向における３つの領域には、前記筒体の内周面に接する接触部を有し、前記筒体の内部に配置された状態で前記筒体の軸方向から見て、夫々の接触部及び前記筒体の軸中心を通る直線の成す角度が全て９０度より大きくされ、かつ、前記筒体の内部に配置された状態で前記筒体の軸方向から見て、夫々の接触部は、前記離間部の中心と前記軸中心を通る直線に対して対称性を有し、前記筒体の内部に配置された状態で前記軸方向から見て軸中心を挟んで前記離間部の反対側の外周面に前記軸方向と平行に溝部が形成され、１つの領域の前記接触部は、前記溝部を挟むように形成された一対の突起から構成され、他の２つの領域の前記接触部は、一つの突起から構成されていることを特徴とする。
本発明の請求項２に係る接触部材は、像保持体を構成する円筒状の筒体の内部に嵌め込まれて配置される接触部材であって、円筒の周方向における一部に軸方向と平行に形成された離間部を有し、前記離間部の離間距離を狭めて撓んだ状態で前記筒体の内部に配置され、前記円筒の周方向における３つの領域には、前記筒体の内周面に接する接触部を有し、前記筒体の内部に配置された状態で前記筒体の軸方向から見て、夫々の接触部及び前記筒体の軸中心を通る直線の成す角度が全て９０度より大きくされ、かつ、前記筒体の内部に配置された状態で前記筒体の軸方向から見て、夫々の接触部は、前記離間部の中心と前記軸中心を通る直線に対して対称性を有し、前記筒体の内部に配置された状態で前記軸方向から見て軸中心を挟んで前記離間部の反対側の外周面に前記軸方向と平行に溝部が形成され、１つの領域の前記接触部は、前記離間部を挟むように形成された一対の突起から構成され、他の２つの領域の前記接触部は、一つの突起から構成されていることを特徴とする。
本発明の請求項３に係る接触部材は、像保持体を構成する円筒状の筒体の内部に嵌め込まれて配置される接触部材であって、円筒の周方向における一部に軸方向と平行に形成された離間部を有し、前記離間部の離間距離を狭めて撓んだ状態で前記筒体の内部に配置され、前記円筒の周方向における３つの領域には、前記筒体の内周面に接する接触部を有し、前記筒体の内部に配置された状態で前記筒体の軸方向から見て、夫々の接触部及び前記筒体の軸中心を通る直線の成す角度が全て９０度より大きくされ、かつ、前記筒体の内部に配置された状態で前記筒体の軸方向から見て、夫々の接触部は、前記離間部の中心と前記軸中心を通る直線に対して対称性を有し、前記筒体の内部に配置された状態で前記軸方向から見て軸中心を挟んで前記離間部の反対側の外周面に前記軸方向と平行に溝部が形成され、全ての領域の前記接触部は、一つの突起から構成されていることを特徴とする。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
本発明の請求項４に係る接触部材は、請求項１〜３の何れか１項に記載の接触部材において、少なくとも一の前記接触部は、前記軸方向から見て、前記筒体の内周面の半径より小さい半径の円弧状とされていることを特徴とする。
【手続補正４】
【補正対象書類名】明細書
【補正対象項目名】０００８
【補正方法】変更
【補正の内容】
【０００８】
本発明の請求項５に係る像保持体は、円筒状で表面に画像を保持する筒体と、前記筒体の内部に配置される請求項１〜４の何れか１項に記載の接触部材と、を備えることを特徴とする。
【手続補正５】
【補正対象書類名】明細書
【補正対象項目名】０００９
【補正方法】変更
【補正の内容】
【０００９】
本発明の請求項６に係る画像形成装置は、請求項５に記載の像保持体と、前記像保持体の表面を帯電させる帯電装置と、帯電した前記像保持体の表面を露光して静電潜像を形成する露光装置と、前記像保持体の表面に形成される静電潜像をトナー画像として現像する現像装置と、を備えることを特徴とする。
【手続補正６】
【補正対象書類名】特許請求の範囲
【補正対象項目名】全文
【補正方法】変更
【補正の内容】
【特許請求の範囲】
【請求項１】
像保持体を構成する円筒状の筒体の内部に嵌め込まれて配置される接触部材であって、
円筒の周方向における一部に軸方向と平行に形成された離間部を有し、前記離間部の離間距離を狭めて撓んだ状態で前記筒体の内部に配置され、
前記円筒の周方向における３つの領域には、前記筒体の内周面に接する接触部を有し、
前記筒体の内部に配置された状態で前記筒体の軸方向から見て、夫々の接触部及び前記筒体の軸中心を通る直線の成す角度が全て９０度より大きくされ、かつ、前記筒体の内部に配置された状態で前記筒体の軸方向から見て、夫々の接触部は、前記離間部の中心と前記軸中心を通る直線に対して対称性を有し、
前記筒体の内部に配置された状態で前記軸方向から見て軸中心を挟んで前記離間部の反対側の外周面に前記軸方向と平行に溝部が形成され、
１つの領域の前記接触部は、前記溝部を挟むように形成された一対の突起から構成され、他の２つの領域の前記接触部は、一つの突起から構成されている接触部材。
【請求項２】
像保持体を構成する円筒状の筒体の内部に嵌め込まれて配置される接触部材であって、
円筒の周方向における一部に軸方向と平行に形成された離間部を有し、前記離間部の離間距離を狭めて撓んだ状態で前記筒体の内部に配置され、
前記円筒の周方向における３つの領域には、前記筒体の内周面に接する接触部を有し、
前記筒体の内部に配置された状態で前記筒体の軸方向から見て、夫々の接触部及び前記筒体の軸中心を通る直線の成す角度が全て９０度より大きくされ、かつ、前記筒体の内部に配置された状態で前記筒体の軸方向から見て、夫々の接触部は、前記離間部の中心と前記軸中心を通る直線に対して対称性を有し、
前記筒体の内部に配置された状態で前記軸方向から見て軸中心を挟んで前記離間部の反対側の外周面に前記軸方向と平行に溝部が形成され、
１つの領域の前記接触部は、前記離間部を挟むように形成された一対の突起から構成され、他の２つの領域の前記接触部は、一つの突起から構成されている接触部材。
【請求項３】
像保持体を構成する円筒状の筒体の内部に嵌め込まれて配置される接触部材であって、
円筒の周方向における一部に軸方向と平行に形成された離間部を有し、前記離間部の離間距離を狭めて撓んだ状態で前記筒体の内部に配置され、
前記円筒の周方向における３つの領域には、前記筒体の内周面に接する接触部を有し、
前記筒体の内部に配置された状態で前記筒体の軸方向から見て、夫々の接触部及び前記筒体の軸中心を通る直線の成す角度が全て９０度より大きくされ、かつ、前記筒体の内部に配置された状態で前記筒体の軸方向から見て、夫々の接触部は、前記離間部の中心と前記軸中心を通る直線に対して対称性を有し、
前記筒体の内部に配置された状態で前記軸方向から見て軸中心を挟んで前記離間部の反対側の外周面に前記軸方向と平行に溝部が形成され、
全ての領域の前記接触部は、一つの突起から構成されている接触部材。
【請求項４】
少なくとも一の前記接触部は、前記軸方向から見て、前記筒体の内周面の半径より小さい半径の円弧状とされている請求項１〜３の何れか１項に記載の接触部材。
【請求項５】
円筒状で表面に画像を保持する筒体と、
前記筒体の内部に配置される請求項１〜４の何れか１項に記載の接触部材と、
を備える像保持体。
【請求項６】
請求項５に記載の像保持体と、
前記像保持体の表面を帯電させる帯電装置と、
帯電した前記像保持体の表面を露光して静電潜像を形成する露光装置と、
前記像保持体の表面に形成される静電潜像をトナー画像として現像する現像装置と、
を備える画像形成装置。
【手続補正書】
【提出日】平成27年3月9日(2015.3.9)
【手続補正１】
【補正対象書類名】明細書
【補正対象項目名】０００５
【補正方法】変更
【補正の内容】
【０００５】
本発明の請求項１に係る接触部材は、像保持体を構成する円筒状の筒体の内部に嵌め込まれて配置される接触部材であって、円筒の周方向における一部に軸方向と平行に形成された離間部を有し、前記離間部の離間距離を狭めて撓んだ状態で前記筒体の内部に配置され、前記円筒の周方向における３つの領域には、前記筒体の内周面に接する接触部を有し、前記筒体の内部に配置された状態で前記筒体の軸方向から見て、夫々の接触部及び前記筒体の軸中心を通る直線の成す角度が全て９０度より大きくされ、かつ、前記筒体の内部に配置された状態で前記筒体の軸方向から見て、夫々の接触部は、前記離間部の中心と前記軸中心を通る直線に対して対称性を有し、前記筒体の内部に配置された状態で前記軸方向から見て軸中心を挟んで前記離間部の反対側の外周面に前記軸方向と平行に溝部が形成され、１つの領域の前記接触部は、前記溝部を挟むように形成された一対の突起から構成され、他の２つの領域の前記接触部は、一つの突起から構成されていることを特徴とする。
本発明の請求項２に係る接触部材は、像保持体を構成する円筒状の筒体の内部に嵌め込まれて配置される接触部材であって、円筒の周方向における一部に軸方向と平行に形成された離間部を有し、前記離間部の離間距離を狭めて撓んだ状態で前記筒体の内部に配置され、前記円筒の周方向における３つの領域には、前記筒体の内周面に接する接触部を有し、前記筒体の内部に配置された状態で前記筒体の軸方向から見て、夫々の接触部及び前記筒体の軸中心を通る直線の成す角度が全て９０度より大きくされ、かつ、前記筒体の内部に配置された状態で前記筒体の軸方向から見て、夫々の接触部は、前記離間部の中心と前記軸中心を通る直線に対して対称性を有し、前記筒体の内部に配置された状態で前記軸方向から見て軸中心を挟んで前記離間部の反対側の外周面に前記軸方向と平行に溝部が形成され、１つの領域の前記接触部は、前記離間部を挟むように形成された一対の突起から構成され、他の２つの領域の前記接触部は、一つの突起から構成されていることを特徴とする。
本発明の請求項３に係る接触部材は、像保持体を構成する円筒状の筒体の内部に嵌め込まれて配置される接触部材であって、円筒の周方向における一部に軸方向と平行に形成された離間部を有し、前記離間部の離間距離を狭めて撓んだ状態で前記筒体の内部に配置され、前記円筒の周方向における３つの領域には、前記筒体の内周面に接する接触部を有し、前記筒体の内部に配置された状態で前記筒体の軸方向から見て、夫々の接触部及び前記筒体の軸中心を通る直線の成す角度が全て９０度より大きくされ、かつ、前記筒体の内部に配置された状態で前記筒体の軸方向から見て、夫々の接触部は、前記離間部の中心と前記軸中心を通る直線に対して対称性を有し、前記筒体の内部に配置された状態で前記軸方向から見て軸中心を挟んで前記離間部の反対側の内周面に前記軸方向と平行に溝部が形成され、全ての領域の前記接触部は、一つの突起から構成されていることを特徴とする。
【手続補正２】
【補正対象書類名】特許請求の範囲
【補正対象項目名】全文
【補正方法】変更
【補正の内容】
【特許請求の範囲】
【請求項１】
像保持体を構成する円筒状の筒体の内部に嵌め込まれて配置される接触部材であって、
円筒の周方向における一部に軸方向と平行に形成された離間部を有し、前記離間部の離間距離を狭めて撓んだ状態で前記筒体の内部に配置され、
前記円筒の周方向における３つの領域には、前記筒体の内周面に接する接触部を有し、
前記筒体の内部に配置された状態で前記筒体の軸方向から見て、夫々の接触部及び前記筒体の軸中心を通る直線の成す角度が全て９０度より大きくされ、かつ、前記筒体の内部に配置された状態で前記筒体の軸方向から見て、夫々の接触部は、前記離間部の中心と前記軸中心を通る直線に対して対称性を有し、
前記筒体の内部に配置された状態で前記軸方向から見て軸中心を挟んで前記離間部の反対側の外周面に前記軸方向と平行に溝部が形成され、
１つの領域の前記接触部は、前記溝部を挟むように形成された一対の突起から構成され、他の２つの領域の前記接触部は、一つの突起から構成されている接触部材。
【請求項２】
像保持体を構成する円筒状の筒体の内部に嵌め込まれて配置される接触部材であって、
円筒の周方向における一部に軸方向と平行に形成された離間部を有し、前記離間部の離間距離を狭めて撓んだ状態で前記筒体の内部に配置され、
前記円筒の周方向における３つの領域には、前記筒体の内周面に接する接触部を有し、
前記筒体の内部に配置された状態で前記筒体の軸方向から見て、夫々の接触部及び前記筒体の軸中心を通る直線の成す角度が全て９０度より大きくされ、かつ、前記筒体の内部に配置された状態で前記筒体の軸方向から見て、夫々の接触部は、前記離間部の中心と前記軸中心を通る直線に対して対称性を有し、
前記筒体の内部に配置された状態で前記軸方向から見て軸中心を挟んで前記離間部の反対側の外周面に前記軸方向と平行に溝部が形成され、
１つの領域の前記接触部は、前記離間部を挟むように形成された一対の突起から構成され、他の２つの領域の前記接触部は、一つの突起から構成されている接触部材。
【請求項３】
像保持体を構成する円筒状の筒体の内部に嵌め込まれて配置される接触部材であって、
円筒の周方向における一部に軸方向と平行に形成された離間部を有し、前記離間部の離間距離を狭めて撓んだ状態で前記筒体の内部に配置され、
前記円筒の周方向における３つの領域には、前記筒体の内周面に接する接触部を有し、
前記筒体の内部に配置された状態で前記筒体の軸方向から見て、夫々の接触部及び前記筒体の軸中心を通る直線の成す角度が全て９０度より大きくされ、かつ、前記筒体の内部に配置された状態で前記筒体の軸方向から見て、夫々の接触部は、前記離間部の中心と前記軸中心を通る直線に対して対称性を有し、
前記筒体の内部に配置された状態で前記軸方向から見て軸中心を挟んで前記離間部の反対側の内周面に前記軸方向と平行に溝部が形成され、
全ての領域の前記接触部は、一つの突起から構成されている接触部材。
【請求項４】
少なくとも一の前記接触部は、前記軸方向から見て、前記筒体の内周面の半径より小さい半径の円弧状とされている請求項１〜３の何れか１項に記載の接触部材。
【請求項５】
円筒状で表面に画像を保持する筒体と、
前記筒体の内部に配置される請求項１〜４の何れか１項に記載の接触部材と、
を備える像保持体。
【請求項６】
請求項５に記載の像保持体と、
前記像保持体の表面を帯電させる帯電装置と、
帯電した前記像保持体の表面を露光して静電潜像を形成する露光装置と、
前記像保持体の表面に形成される静電潜像をトナー画像として現像する現像装置と、
を備える画像形成装置。